(57)【要約】【課題】主軸受およびコンロッド軸受からの漏れ油量を低減することが可能な軸受を提供する。【解決手段】主軸受１０は、一対の半円筒形軸受である上側軸受部材１１と下側軸受部材１２から構成され、上側軸受部材１１の内周面に、異物を捕集するための部位である樹脂製の異物捕集部３０あるいは異物捕集部４０を備えている。また、コンロッド軸受２０は、一対の半円筒形軸受である半割れ軸受２１・２２から構成され、半割れ軸受２１・２２の内周面に、異物を捕集するための部位である樹脂製の異物捕集部４０を備えている。【選択図】図６
2017040354.tif 000002
【特許請求の範囲】
【請求項１】
一対の半円筒形軸受から構成され、
前記一対の半円筒形軸受の少なくともいずれか一方の内周面に、
異物を捕集するための部位である樹脂製の異物捕集部を備える、
ことを特徴とする軸受。
【請求項２】
前記異物捕集部は、
前記軸受を潤滑するための潤滑油に対してろ過性を有する発泡樹脂製の部材により構成成される、
ことを特徴とする請求項１に記載の軸受。
【請求項３】
前記一対の半円筒形軸受は、
クランクシャフトのジャーナル部を回転自在に支持するための主軸受を構成する上下一対の上側軸受部材と下側軸受部材であって、
前記上側軸受部材の内周面に、円周方向に沿って形成された油溝を備え、
前記油溝において、前記異物捕集部を備える、
ことを特徴とする請求項１または請求項２に記載の軸受。
【請求項４】
前記異物捕集部を、
前記油溝の周方向端部に配置する、
ことを特徴とする請求項３に記載の軸受。
【請求項５】
前記上側軸受部材は、
前記油溝に連通する潤滑油の供給油路を備え、
前記異物捕集部を、
前記油溝における前記供給油路の連通位置を塞ぐ位置に配置する、
ことを特徴とする請求項３に記載の軸受。
【請求項６】
前記上側軸受部材は、
前記油溝に連通する潤滑油の供給油路を備え、
前記油溝における前記供給油路の連通位置に、前記油溝を拡幅した部位である拡幅部を設け、
前記異物捕集部を、前記拡幅部に配置する、
ことを特徴とする請求項３に記載の軸受。
【請求項７】
前記異物捕集部は、
前記一対の半円筒形軸受の少なくともいずれか一方の内周面に、
樹脂製のコーティング材を塗布して形成される、
ことを特徴とする請求項１に記載の軸受。
【請求項８】
前記異物捕集部は、
前記一対の半円筒形軸受の内周面の周方向端部に形成される、
ことを特徴とする請求項７に記載の軸受。
【請求項９】
前記一対の半円筒形軸受は、
クランクシャフトのクランクピンにコンロッドを回転自在に支持するためのコンロッド軸受を構成する一対の半割り軸受であって、
前記一対の半割り軸受の少なくともいずれか一方の内周面の周方向端部に切欠き部を備え、
前記異物捕集部は、
前記切欠き部に前記コーティング材を塗布して形成される、
ことを特徴とする請求項８に記載の軸受。
【請求項１０】
前記一対の半円筒形軸受は、内周面の周方向端部において、面取り部が無い、
ことを特徴とする請求項１〜請求項９の何れか一項に記載の軸受。
【発明の詳細な説明】
【技術分野】
【０００１】
本発明は、軸受の技術に関し、より詳しくは、クランクシャフトおよびコンロッドを軸支するための軸受の技術に関する。
【背景技術】
【０００２】
従来、クランクシャフトおよびコンロッドを軸支するための軸受（以下、クランクシャフト用軸受とも呼ぶ）においては、主軸受およびコンロッド軸受に潤滑油を供給するとともに、各軸受から潤滑油を漏出させることによって、各軸受内に入り込んだ異物を潤滑油とともに排出する構成が一般的に採用されている。
各軸受からの潤滑油の漏れ量（以下、漏れ油量とも呼ぶ）が多いと、潤滑油の循環量を多くしなければならないため、オイルポンプの容量を大きくする必要が生じるとともに、エンジンの早期昇温に不利となって、燃費にも悪影響を及ぼすことが知られている。
このため、クランクシャフト用軸受においては、漏れ油量の低減を図るための技術が種々検討されており、例えば、以下に示す特許文献１に係る技術が知られている。
【０００３】
特許文献１に係る技術では、クランクシャフト用軸受において、主軸受の部分油溝の端部と面取り部を非連通としている軸受において、非連通部の円周方向範囲を、コンロッド軸受への給油孔範囲よりも小さくする構成としている。
そして、特許文献１に係る技術では、このような構成により、漏れ油量の低減を図るとともに、主軸受の合わせ部に存在する面取り部から潤滑油を排出することによって、その面取り部から潤滑油とともに異物を排出して、異物をコンロッド軸受側に流れにくくしている。
このような構成により、特許文献１に係る技術では、クランクシャフト用軸受において、漏れ油量を低減しつつ、優れた異物排出機能を確保することを可能にしている。
【０００４】
しかしながら、特許文献１に係る技術のように、主軸受の合わせ部に存在する面取り部から潤滑油を排出する構成の軸受では、その面取り部からの漏れ油量が依然として多く、漏れ油量の更なる低減を実現する軸受の開発が望まれていた。
【先行技術文献】
【特許文献】
【０００５】
【特許文献１】特開２０１３−１７０６８０号公報
【発明の概要】
【発明が解決しようとする課題】
【０００６】
本発明は、斯かる現状の課題を鑑みてなされたものであり、面取り部を設けることなく、主軸受およびコンロッド軸受の摺動部から異物を除去することが可能な軸受を提供することを目的としている。
【課題を解決するための手段】
【０００７】
本発明の解決しようとする課題は以上の如くであり、次にこの課題を解決するための手段を説明する。
【０００８】
即ち、本発明に係る軸受は、一対の半円筒形軸受から構成され、前記一対の半円筒形軸受の少なくともいずれか一方の内周面に、異物を捕集するための部位である樹脂製の異物捕集部を備えることを特徴とする。
【０００９】
また、本発明に係る軸受は、前記異物捕集部は、前記軸受を潤滑するための潤滑油に対してろ過性を有する発泡樹脂製の部材により構成されることを特徴とする。
そして、本発明に係る軸受は、簡易な構成によって、軸受に入り込んだ異物を捕集することができる。
【００１０】
また、本発明に係る軸受において、前記一対の半円筒形軸受は、クランクシャフトのジャーナル部を回転自在に支持するための主軸受を構成する上下一対の上側軸受部材と下側軸受部材であって、前記上側軸受部材の内周面に、円周方向に沿って形成された油溝を備え、前記油溝において、前記異物捕集部を備えることを特徴とする。
そして、本発明に係る軸受は、このような構成により、油溝内で、主軸受に入り込んだ異物を捕集することができる。
【００１１】
また、本発明に係る軸受において、前記異物捕集部を、前記油溝の周方向端部に配置することを特徴とする。
そして、本発明に係る軸受は、このような構成により、油溝内で、主軸受に入り込んだ異物を確実に捕集することができる。
【００１２】
また、本発明に係る軸受において、前記上側軸受部材は、前記油溝に連通する潤滑油の供給油路を備え、前記異物捕集部を、前記油溝における前記供給油路の連通位置を塞ぐ位置に配置することを特徴とする。
そして、本発明に係る軸受は、このような構成により、油溝内で、主軸受に入り込んだ異物を確実に捕集することができる。
【００１３】
また、本発明に係る軸受において、前記上側軸受部材は、前記油溝に連通する潤滑油の供給油路を備え、前記油溝における前記供給油路の連通位置に、前記油溝を拡幅した部位である拡幅部を設け、前記異物捕集部を、前記拡幅部に配置することを特徴とする。
そして、本発明に係る軸受は、このような構成により、油溝内で、主軸受に入り込んだ異物を確実に捕集することができる。
【００１４】
また、本発明に係る軸受において、前記異物捕集部は、前記一対の半円筒形軸受の少なくともいずれか一方の内周面に、樹脂製のコーティング材を塗布して形成されることを特徴とする。
そして、本発明に係る軸受は、簡易な構成によって、軸受に入り込んだ異物を捕集することができる。
【００１５】
また、本発明に係る軸受において、前記異物捕集部は、前記一対の半円筒形軸受の内周面の周方向端部に形成されることを特徴とする。
そして、本発明に係る軸受は、このような構成により、軸受に入り込んだ異物を確実に捕集することができる。
【００１６】
また、本発明に係る軸受において、前記一対の半円筒形軸受は、クランクシャフトのクランクピンにコンロッドを回転自在に支持するためのコンロッド軸受を構成する一対の半割り軸受であって、前記一対の半割り軸受の少なくともいずれか一方の内周面の周方向端部に切欠き部を備え、前記異物捕集部は、前記切欠き部に前記コーティング材を塗布して形成されることを特徴とする。
そして、本発明に係る軸受は、このような構成により、コンロッド軸受に入り込んだ異物を捕集することができる。
【００１７】
また、本発明に係る軸受において、前記一対の半円筒形軸受は、内周面の周方向端部において、面取り部が無いことを特徴とする。
そして、本発明に係る軸受は、このような構成により、軸受からの漏れ油量を低減できる。
【発明の効果】
【００１８】
本発明の効果として、以下に示すような効果を奏する。
【００１９】
本発明に係る軸受によれば、軸受に入り込んだ異物を軸受内で捕集することで、面取り部を設けることなく、主軸受およびコンロッド軸受の摺動部から異物を除去することができる。これにより、軸受からの漏れ油量を低減することができる。
【図面の簡単な説明】
【００２０】
【図１】本発明の一実施形態に係る軸受を示す模式図。
【図２】本発明の一実施形態に係る軸受（主軸受における断面）を示す断面模式図。
【図３】本発明の一実施形態に係る軸受（ジャーナル軸受における断面）を示す断面模式図。
【図４】本発明の一実施形態に係る軸受（主軸受における断面）を示す断面模式図。
【図５】主軸受（油溝が合わせ部に至る形態）を示す模式図、（ａ）軸方向視における全体模式図、（ｂ）主軸受を構成する上側軸受部材の模式図、（ｃ）主軸受を構成する下側軸受部材の模式図。
【図６】主軸受（油溝が合わせ部にまで至る場合）に対する第一の形態に係る異物捕集部の配置状況を示す模式図、（ａ）部分詳細模式図、（ｂ）図６（ａ）におけるＡ−Ａ断面を示す図。
【図７】主軸受（油溝が合わせ部に至らない形態）を示す模式図、（ａ）軸方向視における全体模式図、（ｂ）主軸受を構成する上側軸受部材の模式図、（ｃ）主軸受を構成する下側軸受部材の模式図。
【図８】主軸受（油溝が合わせ部に至らない場合）に対する第一の形態に係る異物捕集部の配置状況を示す模式図、（ａ）部分詳細模式図、（ｂ）図８（ａ）におけるＢ−Ｂ断面を示す図。
【図９】異物捕集部のその他の配置形態を示す模式図、（ａ）第二の形態を示す模式図、（ｂ）第三の形態を示す模式図、（ｃ）第四の形態を示す模式図。
【図１０】ジャーナル軸受を示す模式図、（ａ）軸方向視における全体模式図、（ｂ）ジャーナル軸受を構成する半割り部材の模式図。
【図１１】主軸受における第二の形態に係る異物捕集部の配置状況を示す模式図、（ａ）部分詳細模式図、（ｂ）図１１（ａ）におけるＣ−Ｃ断面を示す図。
【図１２】コンロッド軸受における第二の形態に係る異物捕集部の配置状況を示す模式図、（ａ）部分詳細模式図、（ｂ）図１２（ａ）におけるＤ−Ｄ断面を示す図。
【発明を実施するための形態】
【００２１】
次に、発明の実施の形態を説明する。
まず、本発明の一実施形態に係る軸受について、図１〜図３を用いて説明する。
図１に示す如く、本発明の一実施形態に係る軸受１は、自動車用エンジン（図示せず）において、クランクシャフト２およびコンロッド３を回転自在に軸支するための軸受であり、主軸受１０とコンロッド軸受２０が、軸受１に該当する。
【００２２】
クランクシャフト２は、主軸部たる複数（本実施形態では５個）のジャーナル部２ａ・２ａ・２ａ・２ａ・２ａと複数（本実施形態では４個）のクランクピン２ｂ・２ｂ・２ｂ・２ｂを備えている。クランクシャフト２は、ジャーナル部２ａとクランクピン２ｂが交互に配置され、ジャーナル部２ａとクランクピン２ｂには、連結部２ｃが介設されている。
【００２３】
そして、クランクシャフト２は、図２および図３に示すように、シリンダブロック４とキャップ５によって形成された軸孔６に主軸受１０を介してジャーナル部２ａが軸支されることで、回転自在に構成される。尚、図２および図３において、シリンダブロック４とキャップ５は、説明の便宜上、二点鎖線で表示している。
【００２４】
コンロッド３は、コンロッド本体３ａとコンロッドキャップ３ｂから構成され、コンロッド本体３ａとコンロッドキャップ３ｂをボルトにより締結することで、クランクピン２ｂを挿通するための軸孔３ｃが形成される。
そして、コンロッド３は、軸孔３ｃにクランクピン２ｂを挿通して、クランクピン２ｂ上に配置されるとともに、クランクピン２ｂとコンロッド３にコンロッド軸受２０を介設することで、クランクピン２ｂ上で回転自在に軸支される。
【００２５】
軸受１の一実施形態である主軸受１０は、図２に示すように、軸孔６を構成するシリンダブロック４およびキャップ５とクランクシャフト２のジャーナル部２ａに介設される軸受部材であり、主軸受１０としては、すべり軸受が採用される。
【００２６】
軸受１の一実施形態であるコンロッド軸受２０は、図３に示すように、軸孔３ｃを構成するコンロッド本体３ａとコンロッドキャップ３ｂに介設される軸受部材であり、コンロッド軸受２０としては、すべり軸受が採用される。
【００２７】
図２および図３に示す如く、クランクシャフト２の内部には潤滑油を流通させるための内部油路２Ｘ・２Ｙが形成されている。内部油路２Ｘは、ジャーナル部２ａにおける外周面の直径方向に対向した位置に開口されるとともに、内部油路２Ｙは、内部油路２Ｘに連通するとともに、ジャーナル部２ａにおける一方の開口から斜め方向に形成されてクランクピン２ｂの外周面に開口されるように構成される。
【００２８】
尚、本実施形態では、クランクシャフト２の内部に内部油路２Ｘ・２Ｙが形成されている場合を例示しているが、軸受１の支持対象であるクランクシャフト２の態様はこれに限定されず、例えば、図４に示すような、クランクシャフト２の内部に内部油路２Ｚのみを備えた形態であってもよい。この場合の内部油路２Ｚは、ジャーナル部２ａにおける外周面の直径方向に対向した位置に開口されるとともに、ジャーナル部２ａにおける一方の開口から斜め方向に形成されてクランクピン２ｂの外周面にも開口されるように構成される。
【００２９】
主軸受１０は、上下一対の半円筒形軸受である上側軸受部材１１と下側軸受部材１２を突き合せて円筒状に構成したものであり、内面が半円状に形成されたキャップ５で押さえ込むことによってシリンダブロック４に固定されている。尚、上側軸受部材１１と下側軸受部材１２の上下の配置関係は、完全な上下でなくてもよく、シリンダブロック４の傾きに合わせて、傾いていても良い。
そして、上側軸受部材１１および下側軸受部材１２の内周面にはクランクシャフト２のジャーナル部２ａが摺接するようになっており、この主軸受１０の内周面とジャーナル部２ａの外周面とで摺動部を構成している。
【００３０】
シリンダブロック４の内部には潤滑油路４Ｘが形成されており、主軸受１０の上側軸受部材１１には潤滑油路４Ｘの下端部の位置に合せて半径方向に向けて開口する潤滑油の供給油路１３が形成されており、潤滑油路４Ｘから供給された潤滑油が、供給油路１３により、主軸受１０とジャーナル部２ａとの摺動部に供給され、該摺動部を潤滑するように構成している。
【００３１】
図３に示す如く、コンロッド軸受２０は、一対の半円筒形軸受である半割り軸受２１・２２を突き合せて円筒状に構成したものであり、コンロッド本体３ａとコンロッドキャップ３ｂをボルトで締結することで形成された軸孔３ｃにおいて保持されている。
そして、各半割り軸受２１・２２の内周面には、クランクシャフト２のクランクピン２ｂが摺接するようになっており、このコンロッド軸受２０の内周面とクランクピン２ｂの外周面とで摺動部を構成している。
【００３２】
ここで、主軸受１０の構成について、図５および図６を用いて説明する。
図５（ａ）（ｂ）に示す如く、主軸受１０には、上側軸受部材１１の内周面に円周方向に形成した油溝１４が設けられており、該油溝１４は回転するジャーナル部２ａの内部油路２Ｘの開口と連通するように構成している。
尚、油溝１４は、溝の深さが所定の深さで形成された部位と、該部位に隣接して溝の深さが漸減する部位から構成される。
一方、図５（ａ）（ｃ）に示す如く、下側軸受部材１２には、潤滑油の供給油路１３および油溝１４は形成されておらず、クランクシャフト２から作用する荷重を下側軸受部材１２の内周面全体で受けるように構成している。
【００３３】
図６（ａ）（ｂ）に示す如く、主軸受１０における上側軸受部材１１と下側軸受部材１２の境界部分である合わせ部１５の近傍には、上側軸受部材１１と下側軸受部材１２にそれぞれクラッシリリーフ１６・１６が形成されている。
【００３４】
従来の軸受（図示せず）では、上側軸受部材と下側軸受部材の内周面の周方向端部（合わせ部）において、内周面の周方向端部の角に面取り部を設けて、該面取り部から異物を排出させる構成としているが、本発明の一実施形態に係る軸受１である主軸受１０では、上側軸受部材１１と下側軸受部材１２の内周面の周方向端部（合わせ部１５）において、内周面の周方向端部の角に異物排出のための面取り部を設けない構成としている。
尚、ここでいう「面取り部」は、軸受の合わせ部から潤滑油を排出するための流路を形成するための部位であって、上側軸受部材１１と下側軸受部材１２の内周面の周方向端部に存在するバリ等を除去するための微小な面取りとは概念が異なっている。このため、主軸受１０は、バリ等を除去するために、上側軸受部材１１と下側軸受部材１２の内周面の周方向端部に微小な面取りが施されていても良い。
【００３５】
ここで、コンロッド軸受２０の構成について、図７を用いて説明する。
図７（ａ）（ｂ）に示す如く、コンロッド軸受２０を構成する一対の半割り軸受２１・２２には、内周面に油溝は設けられておらず、コンロッド軸受２０の内周面に向けて、クランクピン２ｂの内部油路２Ｘが開口されている。
【００３６】
従来の軸受（図示せず）では、一対の半割り軸受の内周面の周方向端部（合わせ部）において、内周面の周方向端部の角に面取り部を設けて、該面取り部から異物を排出させる構成としているが、本発明の一実施形態に係る軸受１であるコンロッド軸受２０では、一対の半割り軸受２１・２２の内周面の周方向端部（合わせ部２３）において、内周面の周方向端部の角に異物排出のための面取り部を設けない構成としている。
尚、ここでいう「面取り部」は、軸受の合わせ部から潤滑油を排出するための流路を形成するための部位であって、各半割り軸受２１・２２の内周面の周方向端部に存在するバリ等を除去するための微小な面取りとは概念が異なっている。このため、コンロッド軸受２０は、バリ等を除去するために、各半割り軸受２１・２２の内周面の周方向端部に微小な面取りが施されていても良い。
【００３７】
ここで、主軸受１０およびコンロッド軸受２０における潤滑油の流れについて、図２および図３を用いて説明する。
シリンダブロック４には、潤滑油路４Ｘに連通するメインギャラリー（図示せず）が形成されており、該メインギャラリーには、オイルポンプ（図示せず）によって潤滑油が供給される。メインギャラリーから潤滑油路４Ｘに供給された潤滑油は、上側軸受部材１１の供給油路１３を通して油溝１４に流れ込んで、主軸受１０の摺動部に供給される。このとき主軸受１０の摺動部に存在する隙間から一部の潤滑油が漏れ出て、クランクケース（図示せず）へと流出する。
【００３８】
油溝１４に流れ込んだ潤滑油は、次に、ジャーナル部２ａの外周面に開口された内部油路２Ｘに流れ込んで、クランクピン２ｂの外周面に開口された形成された内部油路２Ｙから流出し、コンロッド軸受２０の摺動部に供給される。コンロッド軸受２０の摺動部に供給された潤滑油は、コンロッド軸受２０とクランクピン２ｂの間に存在する隙間から漏れ出て、クランクケースへと流出する。そして、クランクケースに流出した潤滑油は、オイルポンプによって、またメインギャラリーへと供給され、再度主軸受１０およびコンロッド軸受２０の各摺動部の潤滑に使用され、循環利用される。
【００３９】
次に、異物捕集部について、図５、図６、および図８〜図１２を用いて説明する。
本発明の一実施形態に係る主軸受１０は、第一の形態に係る異物捕集部３０を備える構成とすることができる。
第一の形態に係る異物捕集部３０は、発泡樹脂製の部材により構成されるものであり、図５（ａ）（ｂ）および図６（ａ）（ｂ）に示す如く、油溝１４の内部に配置されている。
【００４０】
異物捕集部３０は、例えば、液状の（硬化する前の）発泡樹脂を、異物捕集部３０を配置したい位置に向けて噴出させて、配置位置において硬化させることによって形成することができる。あるいは、異物捕集部３０は、既に硬化している塊状の発泡樹脂製の部材を、異物捕集部３０を配置したい位置に接着剤等で張り付けて設けても良い。
【００４１】
異物捕集部３０を構成する発泡樹脂製の部材は、潤滑油を流通させることが可能なろ過性を有しており、潤滑油が異物捕集部３０を流通するときにフィルターとして機能して、潤滑油に混入している異物を、異物捕集部３０によって捕集することができる。
異物捕集部３０を構成する発泡樹脂の形成方法としては、乾式法や湿式法等がある。乾式法としては、物理的方法と化学的方法があり、一般的な物理的方法としては、クロロフルオロカーボン類や炭化水素類等の低沸点液体（発泡剤）をポリマーに分散させた後、加熱して発泡剤を揮発させることにより気泡を形成させる方法がある。また、化学的方法としては、樹脂に発泡剤を添加してこれを熱分解することによって生じるガスによりセルを形成し、これにより発泡体を得る方法がある。尚、発泡剤としては、塩化メチレン、クロロホルム、トリクロロエタン等を用いることができる。
【００４２】
そして、異物捕集部３０において捕集された異物は、異物捕集部３０に留められるため、主軸受１０では、潤滑油に混入していた異物が摺動部に入り込むことが防止される。これにより、主軸受１０から異物を排出させなくても、主軸受１０の焼き付き等の問題が生じないため、異物排出のために主軸受１０から潤滑油を漏出させる必要がなくなる。
【００４３】
即ち、本発明の一実施形態に係る軸受１である主軸受１０は、一対の半円筒形軸受である上側軸受部材１１と下側軸受部材１２から構成され、上側軸受部材１１の内周面に、異物を捕集するための部位である樹脂製の異物捕集部３０を備えている。
このような構成の主軸受１０では、主軸受１０に入り込んだ異物を、主軸受１０内で捕集することで、面取り部を設けることなく、主軸受１０の摺動部から異物を除去することができる。これにより、主軸受１０からの漏れ油量を低減することができる。
【００４４】
また、本発明の一実施形態に係る主軸受１０において、異物捕集部３０は、軸受１を潤滑するための潤滑油に対してろ過性を有する発泡樹脂製の部材を、油溝１４に配置して構成されるものである。
そして、主軸受１０では、このような簡易な構成によって、主軸受１０に入り込んだ異物を捕集することができる。
【００４５】
さらに、一対の上側軸受部材１１と下側軸受部材１２は、クランクシャフト２のジャーナル部２ａを回転自在に支持するための主軸受１０を構成するものであって、上側軸受部材１１の内周面に、円周方向に沿って形成された油溝１４を備え、油溝１４において、異物捕集部３０を備えるものである。
そして、主軸受１０は、このような構成により、油溝１４内で、主軸受１０に入り込んだ異物を捕集することができる。
【００４６】
異物捕集部３０は、図５（ａ）（ｂ）および図６（ａ）（ｂ）に示すように、例えば、油溝１４における潤滑油の流れ方向の最下流側端部に配置することができる。
【００４７】
ここで、図６（ａ）（ｂ）に示すように、油溝１４が、上側軸受部材１１と下側軸受部材１２の合わせ部１５にまで至る態様で形成されている場合には、異物捕集部３０を、クラッシリリーフ１６の形成範囲に重複させて配置してもよい。
クラッシリリーフ１６の形成範囲に重複させて異物捕集部３０を配置する場合、異物捕集部３０を、図６（ｂ）に示すようにクラッシリリーフ１６の形成領域にはみ出させてもよい。
【００４８】
また、図８（ａ）（ｂ）（ｃ）および図９（ａ）（ｂ）に示すように、油溝１４が、上側軸受部材１１と下側軸受部材１２の合わせ部１５にまで至らない態様で形成されている場合においても、油溝１４に異物捕集部３０を配置することができる。
この場合、異物捕集部３０は、クラッシリリーフ１６の形成範囲に至る手前の、油溝１４の最下流側端部に異物捕集部３０を配置することができる。
【００４９】
この場合、異物捕集部３０は、図９（ｂ）に示すように、クラッシリリーフ１６の形成範囲にはみ出さない態様で異物捕集部３０を配置することができる。尚、油溝１４が、上側軸受部材１１と下側軸受部材１２の合わせ部１５にまで至らない態様で形成されている場合においても、異物捕集部３０を、クラッシリリーフ１６の形成範囲からはみ出させて配置する態様としてもよい。
【００５０】
即ち、本発明の一実施形態に係る主軸受１０においては、異物捕集部３０を、油溝１４の周方向端部に配置するものである。
このような構成により、油溝１４内で、主軸受１０に入り込んだ異物を確実に捕集することができる。
【００５１】
このような構成の主軸受１０では、油溝１４において異物捕集部３０を備えているため、潤滑油の流れ方向における油溝１４の異物捕集部３０よりも下流側に、潤滑油に混入した異物が流出することを防止することができる。
【００５２】
また、主軸受１０における異物捕集部３０は、図１０（ａ）（ｂ）（ｃ）に示すような配置とすることができる。
【００５３】
異物捕集部３０は、図１０（ａ）に示すように、潤滑油の流れ方向における油溝１４と潤滑油の供給油路１３との接続点よりも下流で、潤滑油の流れ方向における油溝１４の最下流側端部よりも手前に配置することができる。
【００５４】
また、異物捕集部３０は、図１０（ｂ）に示すように、油溝１４と潤滑油の供給油路１３との接続点をふさぐように配置することも可能である。このような構成では、主軸受１０に供給された潤滑油が、必ず異物捕集部３０を通過するように構成されるため、異物を確実に捕集することができる。
【００５５】
即ち、本発明の一実施形態に係る主軸受１０において、上側軸受部材１１は、油溝１４に連通する潤滑油の供給油路１３を備え、異物捕集部３０を、油溝１４における供給油路１３の連通位置を塞ぐ位置に配置するものである。
このような構成により、油溝１４内で、主軸受１０に入り込んだ異物を確実に捕集することができる。
【００５６】
さらに、異物捕集部３０は、図１０（ｃ）に示すように、油溝１４と潤滑油の供給油路１３との接続点を包含する部位の油溝１４において、油溝１４の幅を拡幅した部位である拡幅部１７を形成し、拡幅部１７に、異物捕集部３０を配置する構成とすることも可能である。そして、拡幅部１７に異物捕集部３０を設けることによって、異物捕集部３０を大型化することができ、ろ過面積を拡大して、確実に異物を捕集することが可能になり、より多くの異物を捕集することができる。
【００５７】
即ち、本発明の一実施形態に係る主軸受１０において、上側軸受部材１１は、油溝１４に連通する潤滑油の供給油路１３を備え、油溝１４における供給油路１３の連通位置に、油溝１４を拡幅した部位である拡幅部１７を設け、異物捕集部３０を、拡幅部１７に配置するものである。
このような構成により、油溝１４内で、主軸受１０に入り込んだ異物を確実に捕集することができる。
【００５８】
主軸受１０では、異物捕集部３０が、潤滑油の流れ方向における主軸受１０の摺動部よりも上流側に配置されているため、主軸受１０の摺動部に異物が流入することが防止できる。これにより、主軸受１０の焼き付きを防止することができるとともに、主軸受１０から異物を排出させる必要がなくなるため、主軸受１０の合わせ部１５の内周面側において、異物を排出させるための面取り部を省略することができる。
【００５９】
このため主軸受１０では、上側軸受部材１１と下側軸受部材１２の内周面側の周方向端部において、面取り部を形成していない。
【００６０】
主軸受１０の内周面の周方向端部の合わせ部１５において面取り部を省略した場合、主軸受１０からの漏れ油量を低減することができるため、潤滑油の循環流量を低減することが可能になり、ひいては、オイルポンプの番手を下げることが可能になる。
また、主軸受１０の内周面の周方向端部の合わせ部１５において面取り部を省略し、主軸受１０からの漏れ油量を低減させた場合、潤滑油の温度を早期に昇温させることができるため、自動車用エンジンの燃費向上に寄与することができる。
【００６１】
また、本発明の一実施形態に係る主軸受１０においては、一対の上側軸受部材１１と下側軸受部材１２の内周面の周方向端部において、面取り部が無いものである。
このような構成により、主軸受１０からの漏れ油量を低減できる。
【００６２】
さらに、主軸受１０の油溝１４において異物捕集部３０を設けた場合、コンロッド軸受２０に異物が流れ込むことが防止できるため、主軸受１０の合わせ部１５における面取り部だけでなく、コンロッド軸受２０の合わせ部２３における面取り部も省略することができる。
【００６３】
このためコンロッド軸受２０では、各半割り軸受２１・２２の内周面側の周方向端部において、面取り部を形成していない。
【００６４】
即ち、本発明の一実施形態に係るコンロッド軸受２０は、一対の半割り軸受２１・２２は、内周面の周方向端部において、面取り部が無いものである。
このような構成により、コンロッド軸受２０からの漏れ油量を低減できる。
【００６５】
そして、主軸受１０の内周面の周方向端部の合わせ部１５における面取り部を省略するとともに、さらにコンロッド軸受２０の内周面の周方向端部の合わせ部２３における面取り部を省略した場合、漏れ油量をさらに低減することができる。
【００６６】
また、主軸受１０に備えられる異物捕集部は、発泡樹脂製の部材で構成されるもの（即ち、異物捕集部３０）には限定されず、油溝１４に対してコーティング材を塗布して、コーティング材により形成した塗膜によって、異物捕集部を構成することも可能である。
【００６７】
図１１（ａ）（ｂ）に示す如く、第二の形態に係る異物捕集部４０は、潤滑油の流れ方向において最下流側端部となる油溝１４の周方向端部に配置されている。このように、油溝１４の周方向端部に異物捕集部４０を配置することで、油溝１４を流れる潤滑油を異物捕集部４０に衝突させることができ、潤滑油に含まれる異物が異物捕集部４０に突き刺さって捕集される。
異物捕集部４０は、異物を突き刺ささった状態に保持できる硬さと厚みを有している。
【００６８】
尚、油溝１４が、図５（ａ）および図６（ａ）（ｂ）に示すように上側軸受部材１１と下側軸受部材１２の合わせ部１５にまで至る態様で形成されている場合には、クラッシリリーフ１６の形成範囲と重複する範囲にコーティング剤を塗布して、異物捕集部４０を形成してもよい。尚この場合、異物捕集部４０を、図１１（ｂ）に示すようにクラッシリリーフ１６の形成領域まではみ出るように、コーティング材を盛り上げて塗布してもよい。
【００６９】
即ち、本発明の一実施形態に係る軸受１である主軸受１０は、一対の半円筒形軸受である上側軸受部材１１と下側軸受部材１２から構成され、上側軸受部材１１の内周面に、異物を捕集するための部位である樹脂製の異物捕集部４０を備えている。
このような構成により、主軸受１０に入り込んだ異物を捕集することができる。またこれにより、上側軸受部材１１と下側軸受部材１２の内周面の周方向端部に、異物排出のための面取り部を設ける必要がなくなり、ひいては、主軸受１０からの漏れ油量を低減することができる。
【００７０】
また、本発明の一実施形態に係る主軸受１０において、異物捕集部４０は、上側軸受部材１１の内周面に、樹脂製のコーティング材を塗布して形成されるものである。
そして、主軸受１０では、このような簡易な構成によって、軸受に入り込んだ異物を捕集することができる。
【００７１】
さらに、本発明の一実施形態に係る主軸受１０において、異物捕集部４０は、上側軸受部材１１の内周面の周方向端部に形成されるものである。
そして、主軸受１０では、このような構成により、コンロッド軸受２０に入り込んだ異物を確実に捕集することができる。
【００７２】
また、コーティング材を用いて形成される異物捕集部４０は、コンロッド軸受２０においても設けることが可能である。
コンロッド軸受２０の詳細を、図１２（ａ）（ｂ）に示している。
図１２（ａ）（ｂ）に示す如く、コンロッド軸受２０を構成する各半割り軸受２１・２２の合わせ部２３の近傍にはそれぞれクラッシリリーフ２４・２４が形成されている。
【００７３】
また、異物捕集部４０は、例えば、図１２（ａ）（ｂ）に示すように、半割り軸受２１の内周面の周方向端部に切欠き部２５を設け、切欠き部２５にコーティング剤を塗布することによって、コンロッド軸受２０の摺動部のように隙間が小さい部位においても異物捕集部４０を設けることができる。
【００７４】
ここでは、切欠き部２５を一方の半割り軸受２１に形成し、半割り軸受２１に異物捕集部４０を設ける場合を例示しているが、切欠き部２５は他方の半割り軸受２２に形成してもよく、コンロッド軸受２０において異物捕集部４０を設ける場合には、半割り軸受２１・２２のうちいずれか一方か、あるいは両方に設けることができる。
【００７５】
即ち、本発明の一実施形態に係るコンロッド軸受２０において、異物捕集部４０は、一対の半割り軸受２１・２２の少なくともいずれか一方の内周面に、樹脂製のコーティング材を塗布して形成されるものである。
そして、コンロッド軸受２０では、このような簡易な構成によって、コンロッド軸受２０に入り込んだ異物を捕集することができる。
【００７６】
コンロッド軸受２０に異物捕集部４０を設けることで、コンロッド軸受２０から異物を排出させる必要がなくなるため、コンロッド軸受２０の内周面の周方向端部の合わせ部２３に異物を排出するための面取り部を設ける必要性がさらに低くなる。
【００７７】
このためコンロッド軸受２０では、各半割り軸受２１・２２の内周面の周方向端部の合わせ部２３において、異物排出のための面取り部を設けていない。
【００７８】
即ち、本発明の一実施形態に係る軸受１であるコンロッド軸受２０は、一対の半円筒形軸受である半割り軸受２１・２２から構成され、半割り軸受２１・２２の少なくともいずれか一方の内周面に、異物を捕集するための部位である樹脂製の異物捕集部４０を備えている。
このような構成のコンロッド軸受２０では、コンロッド軸受２０に入り込んだ異物を、コンロッド軸受２０内で捕集することで、面取り部を設けることなく、コンロッド軸受２０の摺動部から異物を除去することができる。これにより、コンロッド軸受２０からの漏れ油量を低減することができる。
【００７９】
また、本発明の一実施形態に係るコンロッド軸受２０において、一対の半割り軸受２１・２２は、クランクシャフト２のクランクピン２ｂにコンロッド３を回転自在に支持するための軸受であって、一対の半割り軸受２１・２２の少なくともいずれか一方の内周面の周方向端部に切欠き部２５を備え、異物捕集部４０は、切欠き部２５にコーティング材を塗布して形成されるものである。
そして、コンロッド軸受２０は、このような構成により、コンロッド軸受２０に入り込んだ異物を捕集することができる。
【符号の説明】
【００８０】
１    軸受
２    クランクシャフト
２ａ  ジャーナル部
２ｂ  クランクピン
２ｃ  連結部
２Ｘ  内部油路
３    コンロッド
４    シリンダブロック
４Ｘ  潤滑油路
１０  主軸受
１１  上側軸受部材
１２  下側軸受部材
２０  コンロッド軸受
２１  半割り軸受
２２  半割り軸受
３０  異物捕集部（第一の形態）
４０  異物捕集部（第二の形態）
【図１】
2017040354.tif 000003
【図２】
2017040354.tif 000004
【図３】
2017040354.tif 000005
【図４】
2017040354.tif 000006
【図５】
2017040354.tif 000007
【図６】
2017040354.tif 000008
【図７】
2017040354.tif 000009
【図８】
2017040354.tif 000010
【図９】
2017040354.tif 000011
【図１０】
2017040354.tif 000012
【図１１】
2017040354.tif 000013
【図１２】
2017040354.tif 000014